(57)【特許請求の範囲】
【請求項１】
把持部と、前記把持部の先端に設けられた引抜部と、を備える草抜き具であって、
前記引抜部は左右に分岐して一対の爪部を構成し、
側面視において、前記一対の爪部は前記把持部の長手方向に沿って直線状に延び、
平面視において、前記一対の爪部の先端部は、先端に向かうに従い他方の爪部から離間するように湾曲して左右に広がって延び、
前記一対の爪部の基端部の間に規定された隙間は後端側に向かうに従い漸減し、前記一対の爪部の外端面はそれぞれ、先端に向かうに従い他方の爪部に近接する方向に傾斜して延びた後に、先端に向かうに従い他方の爪部から離間するように湾曲して延び、
前記引抜部は過度に変形しない程度に適度な剛性を有し、草の両側に前記一対の爪部を位置させた状態で軸回りに回転させて引き寄せると、左右に広がって延びる前記一対の爪部の何れか一方に前記草が引っ掛かかることを特徴とする草抜き具。
【発明の詳細な説明】
【技術分野】
【０００１】
本発明は、立ち姿勢のまま効率良く草を引き抜くことができる草抜き具に関する。
【背景技術】
【０００２】
従来より、草の根を引掛部に引掛けて草を根ごと引き抜くように構成された草抜き具が種々提案されている（例えば特許文献１参照）。
【先行技術文献】
【特許文献】
【０００３】
【特許文献１】実用新案登録第３０７４７２９号
【発明の概要】
【発明が解決しようとする課題】
【０００４】
しかしながら、従来の草抜き具では、草の根がうまく引掛部に引っかからず、滑ってすり抜けてしまう虞があった。このような場合には手で草を押さえながら引き抜くこととなり、立ち姿勢を維持した状態での除草作業が困難であった。
【０００５】
本発明は、草を容易かつ確実に引き抜くことができる草抜き具の提供を目的とする。
【課題を解決するための手段】
【０００６】
本発明の請求項１に記載の草抜き具は、把持部と、前記把持部の先端に設けられた引抜部と、を備え、前記引抜部は左右に分岐して一対の爪部を構成し、側面視において、前記一対の爪部は前記把持部の長手方向に沿って直線状に延び、平面視において、前記一対の爪部の先端部は、先端に向かうに従い他方の爪部から離間するように湾曲して左右に広がって延び、前記一対の爪部の基端部の間に規定された隙間は後端側に向かうに従い漸減し、前記一対の爪部の外端面はそれぞれ、先端に向かうに従い他方の爪部に近接する方向に傾斜して延びた後に、先端に向かうに従い他方の爪部から離間するように湾曲して延び、前記引抜部は過度に変形しない程度に適度な剛性を有し、草の両側に前記一対の爪部を位置させた状態で軸回りに回転させて引き寄せると、左右に広がって延びる前記一対の爪部の何れか一方に前記草が引っ掛かかることを特徴とする。
【発明の効果】
【００１２】
本発明に係る草抜き具によれば、草の両側に前記一対の爪部を位置させた状態で軸回りに回転させ、そのまま草抜き具を手前に引き寄せることで草を一方の爪部に引っかけて抜くことができる。即ち、草抜き具の軸方向への移動と軸回り方向への回転のみで草を引き抜くことができるので、作業性が良い。また、一対の爪部の先端部は、先端に向かうに従い他方の爪部から離間するように湾曲して延びているので、容易に爪部の間に草を位置させることができると共に、爪部へ草を容易に引っ掛けることができる。
【００１３】
本発明に係る草抜き具によれば、一対の爪部の間に設けられた隙間は先端に向かうに従い漸増するように規定されているので、草を引き抜く際には容易に爪部の間に草を位置させることができると共に、草を連続して引き抜いた場合には、草は隙間の奥に押し込まれるようにして保持されるので、草を一本抜く度に引き抜かれた草を草抜き具から取り除かなくても、連続して複数本の草を引き抜くことができ、効率的に除草作業を行うことができる。更に、草を引き抜いた後に草抜き具を一振りすれば、その反動で容易に草を引抜部から振り落とすことができ、利便性がよい。
【００１４】
本発明に係る草抜き具によれば、一対の爪部の基端部はそれぞれ、その外端面が先端側に向かうに従い他方の爪部に近接する方向に傾斜して延びるので、草を引き抜く際に、より確実に草を爪部に引っ掛けることができる。
【図面の簡単な説明】
【００１８】
【図１】本発明の第１実施形態に係る草抜き具を示す概略図。
【図２】図１に示す草抜き具の要部拡大図であって、（ａ）はその平面図であり、（ｂ）はその側面図。
【図３】図１に示す草抜き具を用いた除草作業の説明図。
【図４】本発明の第２実施形態に係る草抜き具を示す概略図。
【図５】図４に示す草抜き具の要部拡大図であって、（ａ）はその平面図であり、（ｂ）はその側面図。
【図６】図４に示す草抜き具を用いた除草作業の説明図。
【発明を実施するための形態】
【００１９】
［第１実施形態］
以下、添付図面を参照して、本発明の第１実施形態に係る草抜き具について説明する。図１を参照して、本実施形態に係る草抜き具１は、棒状の把持部２と、把持部２の先端に設けられた引抜部３と、を備える。立ち姿勢のままでの除草作業がし易いように、把持部２は例えば１．２〜１．８ｍ程度の長さを有するのが好ましい。図２をも参照して、引抜部３の先端は左右に分岐して一対の爪部４，４を構成し、これらの爪部４，４の間に規定された隙間Ｇは先端に向かうに従い漸増している。また、これら爪部４，４の先端部４１，４１は、先端に向かうに従い他方の爪部４から離間するように大きく湾曲し、左右に広がって延びている。更に、各爪部４の基端部４２は、その外端面４２ａが先端に向かうに従い他方の爪部４に近接する方向に僅かに傾斜して延びている。
【００２０】
なお、引抜部３としては、後述のようにして草Ｗを引き抜く際に過度に変形しない程度に適度な剛性を有すればその材質に制限はなく、例えば金属、木製、樹脂製等とすることができる。
【００２１】
このような草抜き具１を用いた除草作業は次の様にして行われる。まず、使用者は把持部２を把持し、除草すべき草Ｗへ向けて引抜部３を突き出して、草Ｗの両側に一対の爪部４，４を位置させる（図３（ａ）参照）。このとき、爪部４，４の先端部４１，４１は外方に向けて湾曲して左右に広がるようにして延びていることから、草Ｗを容易に隙間Ｇに差し込むことができる。次に、草抜き具１を軸回り方向（例えば軸回り方向Ｄ１）に９０度〜１８０度程度回転させる。その後、草抜き具１をその長手方向に沿った引き抜き方向Ｄ２に引き寄せると、図３（ｂ）に示す様に、草Ｗは一対の爪部４，４の間に挟まれた状態で、その下方部位が一方の爪部４の先端部４１に引っかかる。この状態で草抜き具１を更に引き抜き方向Ｄ２に引き寄せると、草Ｗは草抜き具１の一方の爪部４により持ち上げられるようにして地面から引き抜かれる。
【００２２】
このとき、爪部４の先端部４１は外方に向けて湾曲して延びていることから、草Ｗを一方の爪部４で引っ張り上げても、草Ｗは爪部４で切断されることがなく、草を根こそぎ引き抜くことができる。また、図３（ｂ）に示す様に、草Ｗは他方の爪部４の片側（図３（ｂ）における紙面手前側）から一対の爪部４，４の間を通って一方の爪部４の他側（図３（ｂ）における紙面奥側）に延び、更に一方の爪部４の先端部４１の片側を横切るように延び、草Ｗが引抜部３に絡みついた状態となるので、草Ｗが途中で引抜部３から滑り落ちることなく、草Ｗを確実に引き抜くことができる。
【００２３】
このようにして草Ｗを引き抜いたら、引抜部３に草Ｗを残したままの状態で次の草を同様にして引き抜いていく。このとき、先に抜かれた草Ｗは爪部４，４の間を後端側（把持部２側）に押し込まれるが、上述したように一対の爪部４，４の間隔Ｇは後端側に向かうに従って漸減するため、このようにして草を連続して引き抜いても、先に抜かれた草Ｗは引抜部３から落ちることなく保持される。
【００２４】
そして、ある程度の草を抜いたら、草抜き具１を持ち上げて草抜き具１を長手方向或いは上下方向にひと振りすると、その反動で引抜部３から草が振り落とされる。このとき、一対の爪部４，４の間隔Ｇは先端側に向かうに従って広がっているため、軽くひと振りするだけで簡単に草を振り落とすことができる。
【００２５】
このように、本実施形態に係る草抜き具１によれば、草Ｗを確実に引抜部３にからめて引き抜くことができ、また草抜き具１をひと振りするだけで引き抜かれた草Ｗを振り落とすことができるので、立ち姿勢のままで除草作業を行うことができ、作業者の腰等にかかる負担を大幅に軽減できる。また、複数の草を連続して引き抜くことができるので、引き抜いた草をその都度取り除く必要がなく、除草作業を効率良く短時間で行うことができる。
【００２６】
更に、除草しようとする草Ｗに向けて草抜き具１をその軸線方向に押し出した後に軸回りに回転させて引き寄せるだけで、上述したように引抜部３の先端に草Ｗを容易に引っ掛けることができるため、引抜部３の先端に草Ｗを引っ掛けるために草抜き具１を左右方向に振る必要がなく、長い把持部２を有する草抜き具１であっても、その取扱を容易にできる。
【００２７】
なお、このように構成された草抜き具１は、例えば水が張られた水田に生えた草を除草するための水田用草抜き具として用いられた際に、特に効力を発揮する。より具体的に、濁った水が張られた水田においては、草抜き具１の先端を水中に差し込むと、草Ｗが隙間Ｇに差し込まれたか否かを目視にて確認することができない。しかしながら、本実施形態にかかる草抜き具１によれば、把持部２の軸線上に引抜部６の先端が位置するので、引抜部６の位置を把握しやすい。また、草Ｗが隙間Ｇに差し込まれると、図３（ａ）に示す様に草Ｗは引抜部３に押されて前側に傾くため、草Ｗの動きを確認するだけで草Ｗが隙間Ｇに差し込まれたか否かを確認できると共に、草抜き具１を回転するタイミングを見極めることができる。更に、比較的長い把持部２を備えているので、離れた位置の草をも除草することができる。よって、過度に動き廻る必要がなく、足場が悪くても効率的に作業を行うことができる。
【００２８】
また、把持部２としては、例えば矩形状の横断面を有するのが好ましい。このように把持部２の横断面を矩形状とすれば、草抜き具１を軸回りに回転させる際における回転角度を容易に把握することができる。
【００２９】
［第２実施形態］
次に、本発明の第２実施形態に係る草抜き具について説明する。図４を参照して、本実施形態に係る草抜き具１０１は、棒状の把持部１０２と、把持部１０２の先端に設けられた鉤状の引抜部５と、を備える。把持部１０２は上述した第１実施形態の把持部２と同様である。また、引抜部５の材質としては、上述した引抜部３と同様に、草Ｗを引き抜く際に変形しない程度に適度な剛性を有すればよく、例えば金属、木製、樹脂製等とすることができる。図５に示す様に、引抜部５は、把持部１０２の中心軸線Ｃ１上に延びる支持部６と、支持部６の先端から屈曲されて後端側（把持部１０２側）に向かって延びる爪部７と、を有する。
【００３０】
支持部６の支持先端部６１は、その幅が先端に向かうに従い漸減するように構成され、支持先端部６１の内端面６１ａは把持部１０２の中心軸線Ｃ１に対して５度〜１５度の角度で傾斜している。
【００３１】
爪部７は先端側部位７１と後端側部位７２とを有し、後端に向かうに従い支持部６から離隔する方向に傾斜して延びている。先端側部位７１の内端面７１ａは、支持先端部６１の内端面６１ａに対して所定角度θ１（第１の所定角度）でもって傾斜し、後端側部位７２の内端面７２ａは支持先端部６１の内端面６１ａに対して所定角度θ１よりも大きな所定角度θ２（第２の所定角度）でもって傾斜している。また、爪部７の外端面７ａは凹状に湾曲している。
【００３２】
このような草抜き具１０１を用いた除草作業は次の様にして行われる。まず、使用者は把持部１０２を把持し、除草すべき草Ｗへ向けて引抜部５を突き出すようにする。このとき、引抜部５の爪部７の外端面７ａは凹状に湾曲していることから、図６（ａ）に示す様に草Ｗは爪部７の外端面７ａに沿って外側（図６における紙面左上）に押し出されるようにして倒れ込む。このようにして草抜き具１０１を更に押し出すと、草Ｗは爪部７の自由端７ｂを乗り越えた後に、反動で爪部７よりも支持部６側に位置するようになる。このとき、爪部７の後端側部位７２の内端面７２ａは、先端側部位７１の内端面７１ａよりも大きな角度でもって傾斜しているため、爪部７と支持部６との間に規定された隙間Ｇ１の開口幅が比較的大きくなり、草Ｗを爪部７と引抜部６との間に容易に位置させることができる。
【００３３】
次に、草抜き具１０１をその軸線方向に沿って後方に引き寄せると、草Ｗが爪部７と支持部６の間の隙間Ｇ１に入り込み、引抜部５の先端部分で引っ張られるようにして地面から引き抜かれる。このとき、隙間Ｇ１は先端に向かうに従い漸減するように規定されているため、草抜き具１０１が後方に引き寄せられる従って草Ｗが隙間Ｇ１の奥に押し込まれると、草Ｗは支持部６と爪部７とによって左右から圧縮されるようにして保持され（図６（ｃ）参照）、引抜部５の先端に引っかかった草Ｗが途中で引抜部５から滑り落ちるのを防止できる。
【００３４】
このようにして草Ｗを引き抜いた後に草抜き具１０１を例えば軸方向にひと振りすると、その反動によって草Ｗが引抜部５から滑り落ち、使用者は草Ｗに直接手を触れることなく除草作業を継続することができる。
【００３５】
ここで、上述した所定角度θ１は４°〜１５°程度であるのが好ましく、５°〜８°程度であるのがより好ましい。所定角度θ１が大きすぎると草Ｗを引き抜く途中で草Ｗがすり抜けやすくなり、作業効率が低下するおそれが生じるためである。また、所定角度θ１が小さすぎると、草Ｗの隙間Ｇ１への押し込みによる保持効果が発揮されず、この場合もまた草Ｗが途中ですり抜けやすくなる。一方、所定角度θ２としては、２５°〜６０°程度であるのが好ましく、３０°〜４５°程度であるのがより好ましい。所定角度θ２が小さすぎると隙間Ｇ１の開口幅が小さくなりすぎ、効率良く草Ｗを引抜部５に引っ掛けることができなくなるためである。また、所定角度θ２が大き過ぎると、草Ｗの誘導がスムーズに行われないおそれが生じる。
【００３６】
また、引抜部５は把持部２の軸線に沿って延びる支持部６を有し、爪部７はこのような支持部６の先端部から湾曲して延びるように構成されていることから、例えば、立ち姿勢のまま長い把持部１０２を把持して作業を行う場合においても、引抜部５は把持部１０２の延長線上に位置するようになり、引抜部５の先端を除草しようとする草Ｗの位置に容易に配置させることができる。
【００３７】
更に、本実施形態の草抜き具１０１によれば、除草しようとする草Ｗに向けて草抜き具１０１をその軸線方向に押し出して引き寄せるだけで上述したように引抜部５の先端に草Ｗを引っ掛けることができるため、引抜部５の先端に草Ｗを引っ掛けるために草抜き具１０１を左右方向に振る必要がなく、長い把持部１０２を有する草抜き具１０１であっても、その取扱を容易にできる。
【００３８】
なお、このように構成された草抜き具１０１も、上述した草抜き具１と同様に、水が張られた水田に生えた草を除草するための水田用草抜き具として用いられた際に、特に効力を発揮する。例えば、濁った水の張られた水田に生える草を除草する場合には、草の先端部分しか見えないが、本実施形態における草抜き具１０１によれば、把持部１０２の軸線方向に真っ直ぐ差し込むだけで引抜部５に草Ｗを引っ掛けて引き抜くことができる。
【００３９】
以上、本発明の実施形態に係る草抜き具について添付の図面を参照して説明したが、本発明はかかる実施形態に限定されず、本発明の範囲を逸脱することなく種々の変形乃至修正が可能である。
【符号の説明】
【００４０】
１，１０１  草抜き具  
２，１０２  把持部
３，５  引抜部
４，７  爪部
６  支持部
Ｇ，Ｇ１  隙間
Ｗ  草
【図１】
0006406751.tif 000002
【図２】
0006406751.tif 000003
【図３】
0006406751.tif 000004
【図４】
0006406751.tif 000005
【図５】
0006406751.tif 000006
【図６】
0006406751.tif 000007